(57)【要約】【課題】模擬果実体、御幣、その他の物に関して、使用しない時（例えば、商品の販売時など）の収納場所が提案されておらず、不便である。【解決手段】鏡餅の外形を呈し合成樹脂製の中空な容器本体１と、容器本体１の上部に載せて飾る果実の外形を呈し合成樹脂製の中空な飾り用模擬果実体を有する模擬飾り餅であって、容器本体１の上側及び飾り用模擬果実体の下側にそれぞれ両者を着脱自在に固定する合成樹脂製の固定手段を設け、容器本体１の底部には開口部１１を設け、開口部１１に着脱自在の裏蓋１０を設け、飾り付けを行わない場合に裏蓋１０を開けて開口部１１から容器本体の中空部に御幣、飾り用模擬果実体、食用の餅を含む各種収納物を収納し、裏蓋１０を被せることにより収納物が外に飛び出すのを防止する機能を備えている。【選択図】図１
2007302317.tif 000002
【特許請求の範囲】
【請求項１】
鏡餅の外形を呈し、合成樹脂製の中空な中空部を有する容器本体と、
前記容器本体の上部に載せて飾る果実の外形を呈し、合成樹脂製の中空な飾り用模擬果実体とを少なくとも有する模擬飾り餅であって、
前記容器本体の上側及び前記飾り用模擬果実体の下側にそれぞれ、両者を固定するための合成樹脂製の固定手段を設けると共に、
前記容器本体の底部には、前記中空部に飾り物や食用の餅を含む収納物を収納するために必要な大きさの開口部を設け、この開口部に着脱自在の合成樹脂製の裏蓋を設け、
飾り付けを行わない場合に、前記裏蓋を開けて、前記開口部から容器本体の中空部に、御幣、飾り用模擬果実体、食用の餅を含む各種収納物を収納し、前記裏蓋を被せることにより、前記収納物が外に飛び出すのを防止する機能を備えていることを特徴とする模擬飾り餅。
【請求項２】
前記飾り用模擬果実体は、飾りつけた状態での垂直面を中心として左右方向に２分割した２つの分割片により構成し、
前記２分割した一方の分割片の内部には、一端を内部の樹脂と一体的に構成し、他端側を開放した開放端とし、その先端部付近に、葉部を取り付けるための合成樹脂製の葉部取付棒の一端を取り付け、飾りつけた状態で略水平方向に延びた中空部を有する中空組立棒を設け、
前記２分割した他方の分割片の内部には、一端を内部の樹脂と一体的に構成し、他端側を開放した開放端とし、この開放端側を前記中空組立棒の前記中空部に挿入可能な構成の組立棒を設け、
前記組立棒を前記中空組立棒の中空部に挿入することで、前記２分割した分割片を固定できるように構成したことを特徴とする請求項１記載の模擬飾り餅。
【請求項３】
前記容器本体の上部側に設けた固定手段は、互いに所定間隔離して形成した複数の貫通孔であり、
前記飾り用模擬果実体の一方の分割片の底部側には、一端が底部の樹脂と一体的に構成され、他端側が開放された開放端とし、飾りつけた状態で垂直方向に延び、その開放端の先端部に、前記容器本体の貫通孔に挿入した際に係止されて抜けるのを防止するための係止片を有する組立棒を設け、
前記飾り用模擬果実体の他方の分割片の底部側には、底部の樹脂と一体的に構成され、他端側が開放された開放端とし、その開放端の先端部が、前記容器本体の貫通孔に挿入可能に形成された取付棒を設けると共に、
御幣を含む飾り物に、取り付け用の孔を設けておき、
飾り付けの際に、前記御幣を含む飾り物に設けた孔に前記取付棒を貫通させた状態で、前記容器本体の上部側の貫通孔に挿入することで、前記容器本体に前記飾り用模擬果実体を取り付ける際に、同時に御幣等の飾り物を挟み込んで取り付けることができるように構成したことを特徴とする請求項２記載の模擬飾り餅。
【請求項４】
前記容器本体は、鏡餅の上段の１つの丸餅のみの外形を呈し、合成樹脂製の中空な容器本体であり、
前記容器本体の底部側は、前記裏蓋を含め、下段に置く丸餅の上側の凸形状に合わせて曲線形状に形成してあり、
飾り付けを行う際には、前記下段に置く丸餅として、食用の丸餅を用い、その上側に、前記容器本体を載せて飾ることができるように構成したことを特徴とする請求項１記載の模擬飾り餅。
【請求項５】
前記容器本体は、飾り用模擬果実体をも含めて一体化した外形を呈し、合成樹脂製の中空な容器本体として構成したことを特徴とする請求項４記載の模擬飾り餅。
【請求項６】
前記容器本体は鏡餅の色に彩色され、前記飾り用模擬果実体は飾り用果実の色に彩色され、葉部は葉部の色に彩色されていることを特徴とする請求項１乃至５のいずれかに記載の模擬飾り餅。
【発明の詳細な説明】
【技術分野】
【０００１】
本発明は、正月や祝い事などに際し、飾られる合成樹脂製の模擬飾り餅に関し、特に、鏡餅の外形を呈し、合成樹脂製の中空な容器本体と、前記容器本体の上部に載せて飾る果実の外形を呈し、合成樹脂製の中空な飾り用模擬果実体とを少なくとも有する模擬飾り餅に関するものである。
する。
【背景技術】
【０００２】
(1) ：従来例１
以下、特許文献１を従来例１として説明する。従来例１には次のような内容が記載されている。
【０００３】
従来から正月や祝い事などに際し、飾り重ね餅が用いられており、その飾りには大小の円形状のお供え餅を２段に重ね、その上に蜜柑や橙等の果実を飾りに置いている。その飾りのための果実代用品として、飾り果実が提案されている。
【０００４】
これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔への必要な挿入が規制され、あたかも実際の果実様の趣を呈するようになるという内容である。
【０００５】
(2) ：従来例２
以下、特許文献２を従来例２として説明する。従来例２には次のような内容が記載されている。
【０００６】
飾り様模擬果実及びその製造方法に関しての記載がある。これは底部に開口がある凹所を備えた中実状の飾り本体と、凹所の開口を強制的に閉塞する蓋部材と、飾り果実本体の頂部に突設形成した連繋突体に被せられる柄体とを備えて成り、また底部に開口がある凹所を備えた中実状の飾り果実本体を射出成形によって形成する一方、凹所内に嵌め入れられるように射出成形によって形成した有底筒状の蓋部材を熱収縮前の飾り果実本体の凹所内に強制的に嵌め入れ、また、飾り果実本体の頂部に突設形成した連繋突体に柄体を被せることで製造するという内容である。
【０００７】
(3) ：従来例３
以下、特許文献３を従来例３として説明する。従来例３には次のような内容が記載されている。
【０００８】
プラスチック製の重ね餅形状の容器に飾り用の重ね果実を接着した飾り重ね餅に関する記載がある。これは容器の上部に手で引き剥がす際に略全ての接着剤が重ね果実と共に剥離され、重ね餅の表面が滑面となるように容器と接着剤の素材が設定されているという内容である。
【０００９】
(4) ：従来例４
以下、特許文献４を従来例４として説明する。従来例４には次のような内容が記載されている。
【００１０】
プラスチック製の飾り重ね餅は、プラスチック製の飾り重ね餅形状の容器内に餅を詰入すると共に、蜜柑を表現したプラスチック製の重ね果実を重ね飾り餅の上部に重ねておき、一部が重ね餅に当接するプラスチック製の透視できるカバー一体を重ね果実に着脱の際に被せ、更に箱体内に収納したものが記載されている。
【００１１】
(5) ：従来例５
以下、特許文献５を従来例５として説明する。従来例５には次のような内容が記載されている。
【００１２】
飾り重ね餅に関して記載されている。これは、餅を収納したプラスチック製の重ね餅形状に形成した容器の下部開口部に貼着したフィルムで閉塞し、三方を模した台部材に係止させるとし、容器上に置かれる重ね果実を、容器の上部及び重ね果実全体を被嵌状態でカバー体によって覆うという内容である。
【特許文献１】特許第３０１０２８６号公報
【特許文献２】特開２００４−３４５３５号公報
【特許文献３】特許第２９３４８７３号公報
【特許文献４】特許第２９６１１４１号公報
【特許文献５】特許第３３６９５２２号公報
【発明の開示】
【発明が解決しようとする課題】
【００１３】
(1) ：従来例１乃至５には前記のような内容が記載されている。しかし、模擬飾り餅に飾る果実体、御幣、その他の物に関して、使用しない時（例えば、商品の販売時など）の収納場所が提案されておらず、不便である。
【００１４】
(2) ：模擬飾り餅と、正月等に食する切り餅等を販売する際に、別々に販売しなければならず不便である。しかし、前記従来例１乃至６には前記のような商品の販売に関する提案はない。
【００１５】
本発明は従来の課題を解決するためになされたものであり、容器本体の内部に、飾り用模擬果実体、御幣等の飾り物、或いは食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上の問題も解決することを目的とする。
【課題を解決するための手段】
【００１６】
本発明は前記の目的を達成するため、次のように構成した。
【００１７】
(1) ：鏡餅の外形を呈し、合成樹脂製の中空な容器本体と、前記容器本体の上部に載せて飾る果実の外形を呈し、合成樹脂製の中空な中空部を有する飾り用模擬果実体とを少なくとも有する模擬飾り餅であって、前記容器本体の上側及び前記飾り用模擬果実体の下側にそれぞれ、両者を固定するための合成樹脂製の固定手段を設けると共に、前記容器本体の底部には、前記中空部に飾り物や食用の餅を含む収納物を収納するために必要な大きさの開口部を設け、この開口部に着脱自在の合成樹脂製の裏蓋を設け、飾り付けを行わない場合に、前記裏蓋を開けて、前記開口部から容器本体の中空部に、御幣、飾り用模擬果実体、食用の餅を含む各種収納物を収納し、前記裏蓋を被せることにより、前記収納物が外に飛び出すのを防止する機能を備えていることを特徴とする。
【００１８】
(2) ：前記(1) の模擬飾り餅において、前記飾り用模擬果実体は、飾りつけた状態での垂直面を中心として左右方向に２分割した２つの分割片により構成し、前記２分割した一方の分割片の内部には、一端を内部の樹脂と一体的に構成し、他端側を開放した開放端とし、その先端部付近に、葉部を取り付けるための合成樹脂製の葉部取付棒の一端を取り付け、飾りつけた状態で略水平方向に延びた中空部を有する中空組立棒を設け、前記２分割した他方の分割片の内部には、一端を内部の樹脂と一体的に構成し、他端側を開放した開放端とし、この開放端側を前記中空組立棒の前記中空部に挿入可能な構成の組立棒を設け、前記組立棒を前記中空組立棒の中空部に挿入することで、前記２分割した分割片を固定できるように構成したことを特徴とする。
【００１９】
(3) ：前記(2) の模擬飾り餅において、前記容器本体の上部側に設けた固定手段は、互いに所定間隔離して形成した複数の貫通孔であり、前記飾り用模擬果実体の一方の分割片の底部側には、一端が底部の樹脂と一体的に構成され、他端側が開放された開放端とし、飾りつけた状態で垂直方向に延び、その開放端の先端部に、前記容器本体の貫通孔に挿入した際に係止されて抜けるのを防止するための係止片を有する組立棒を設け、前記飾り用模擬果実体の他方の分割片の底部側には、底部の樹脂と一体的に構成され、他端側が開放された開放端とし、その開放端の先端部が、前記容器本体の貫通孔に挿入可能に形成された取付棒を設けると共に、御幣を含む飾り物に、取り付け用の孔を設けておき、飾り付けの際に、前記御幣を含む飾り物に設けた孔に前記取付棒を貫通させた状態で、前記容器本体の上部側の貫通孔に挿入することで、前記容器本体に前記飾り用模擬果実体を取り付ける際に、同時に御幣等の飾り物を挟み込んで取り付けることができるように構成したことを特徴とする。
【００２０】
(4) ：前記(1) の模擬飾り餅において、前記容器本体は、鏡餅の上段の１つの丸餅のみの外形を呈し、合成樹脂製の中空な容器本体であり、前記容器本体の底部側は、前記裏蓋を含め、下段に置く丸餅の上側の凸形状に合わせて曲線形状に形成してあり、飾り付けを行う際には、前記下段に置く丸餅として、食用の丸餅を用い、その上側に、前記容器本体を載せて飾ることができるように構成したことを特徴とする。
【００２１】
(5) ：前記(4) の模擬飾り餅において、前記容器本体は飾り用模擬果実体をも含めて一体化した外形を呈し、合成樹脂製の中空な容器本体として構成したことを特徴とする。
【００２２】
(6) ：前記(1) 乃至(5) のいずれか模擬飾り餅において、前記容器本体は鏡餅の色（例えば、乳白色、又は白色）に彩色され、前記飾り用模擬果実体は飾り用果実の色（例えば、橙色、オレンジ色など）に彩色され、葉部は葉部の色（例えば、緑色）に彩色されていることを特徴とする。
【００２３】
（作用）
以下、前記構成に基づく本発明の作用を説明する。
【００２４】
(a) ：前記(1) では、前記模擬飾り餅を商品として販売する時は、裏蓋を開けて、容器本体１の中空部に御幣、飾り用模擬果実体、及び食用の切り餅等を収納する。そして、裏蓋を閉めて内部の収納物が外に飛び出さないようにする。
【００２５】
また、前記模擬飾り餅を飾りつける場合は、裏蓋を開けて容器本体の中空部から収納物を取り出し、飾り用模擬果実体を容器本体の上側に固定する。この場合、御幣等の飾り物も一緒に容器本体に固定して飾ることができる。
【００２６】
このようにして商品を販売すれば、御幣、飾り用模擬果実体、食用の切り餅等を１つの容器本体内に収納した状態で販売できるから、販売に手間がかからず、商品も小型化でき取り扱いも容易になり、かつコスト削減が可能になる。また、前記商品を購入した購入者は、保管場所も少なくて済み、例えば、内部の切り餅等を食用に供する分だけ取り出せば良いから取り扱いも容易になる。
【００２７】
すなわち、容器本体の内部に、飾り用模擬果実体、御幣等の飾り物、或いは食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上の問題も解決できる。
【００２８】
(b) ：前記(2) では、前記飾り用模擬果実体を容器本体の上に飾りつける場合は、組立棒を中空組立棒の中空部に挿入することで、２分割した分割片を合体し、飾り用模擬果実体を一体化し、この一体化した飾り用模擬果実体を容器本体の上に簡単に固定することができる。
【００２９】
(c) ：前記(3) では、飾り付けの際に、御幣を含む飾り物に設けた孔に取付棒を貫通させた状態で、容器本体の上部側の貫通孔に挿入することで、容器本体に飾り用模擬果実体を取り付ける際に、同時に御幣等の飾り物を挟み込んで取り付けることができる。従って、飾りつけが簡単にできる。
【００３０】
また、容器本体と飾り用模擬果実体との固定を行う場合、全て合成樹脂製の固定手段を用いている。従って、鉄製のネジ等を使用しないで両者の固定を行うことができるので、錆等の発生が全く無く、容器本体の中空部に収納する食品としての餅に対し衛生的である。
【００３１】
(d) ：前記(4) では、飾り付けの際に、食用の丸餅の上に容器本体を載せるだけで２段重ねの鏡餅となる。この場合、容器本体は１段分の餅の大きさで済み、小型化、低コスト化ができる。
【００３２】
(e) ：前記(5) では、容器本体は飾り用模擬果実体をも含めて一体化した外形を呈し、合成樹脂製の中空な容器本体として構成したので、製作が容易であり、小型化、低コスト化ができる。
【００３３】
(f) ：前記(6) では、容器本体は鏡餅の色に彩色され、飾り用模擬果実体は、橙、蜜柑を含む飾り用果実の色に彩色され、葉部は葉部の色に彩色されているので、本物の鏡餅及び果実と極めて良く似たものとなり、商品価値が高くなる。
【発明の効果】
【００３４】
本発明は前記の構成により次のような効果がある。
【００３５】
(a) ：請求項１では、模擬飾り餅を商品として販売する時は、裏蓋を開けて、容器本体の中空部に御幣、飾り用模擬果実体、及び食用の切り餅等を収納する。そして、裏蓋を閉めて内部の収納物が外に飛び出さないようにする。
【００３６】
また、模擬飾り餅を飾りつける場合は、裏蓋を開けて容器本体の中空部から収納物を取り出し、飾り用模擬果実体を容器本体の上側に固定する。この場合、御幣等の飾り物も一緒に容器本体に固定して飾ることができる。
【００３７】
このようにして商品を販売すれば、御幣、飾り用模擬果実体、食用の切り餅等を１つの容器本体内に収納した状態で販売できるから、販売に手間がかからず、商品も小型化でき取り扱いも容易になり、かつコスト削減が可能になる。また、前記商品を購入した購入者は、保管場所も少なくて済み、例えば、内部の切り餅等を食用に供する分だけ取り出せば良いから取り扱いも容易になる。
【００３８】
すなわち、容器本体の内部に、飾り用模擬果実体、御幣等の飾り物、或いは食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上も好ましい。
【００３９】
また、客が模擬飾り餅を持ち帰る場合には、持ち運びが便利であり、中の食用の餅が埃をかぶらず、汚れも防止できる。更に、模擬飾り餅は飾りものだけでなく、食用の餅や飾り物を収納するのにも便利である。
【００４０】
(2) ：請求項２では、飾り用模擬果実体を容器本体の上に飾りつける場合は、組立棒を中空組立棒の中空部に挿入することで、２分割した分割片を合体し、飾り用模擬果実体を一体化し、この一体化した飾り用模擬果実体を容器本体の上に簡単に固定することができる。すなわち、製造が容易にできると共に、飾りつけする場合の組み立てが簡単でコストダウンも可能である。
【００４１】
(3) ：請求項３では、飾り付けの際に、御幣を含む飾り物に設けた孔に取付棒を貫通させた状態で、容器本体の上部側の貫通孔に挿入することで、容器本体に飾り用模擬果実体を取り付ける際に、同時に御幣等の飾り物を取り付けることができる。従って、飾りつけが簡単にできる。
【００４２】
また、容器本体と飾り用模擬果実体との固定を行う場合、全て合成樹脂製の固定手段を用いている。従って、鉄製のネジ等を使用しないで両者の固定を行うことができるので、錆等の発生が全く無く、容器本体の中空部に収納する食品としての餅に対し衛生的である。
【００４３】
(4) ：請求項４では、飾り付けの際に、食用の丸餅の上に容器本体を載せるだけで２段重ねの鏡餅となる。この場合、容器本体は１段分の餅の大きさで済み、小型化、低コスト化ができる。
【００４４】
(5) ：請求項５では、容器本体は飾り用模擬果実体をも含めて一体化した外形を呈し、合成樹脂製の中空な容器本体として構成したので、製作が容易であり、小型化、低コスト化ができる。
【００４５】
(6) ：請求項６では、容器本体、飾り用模擬果実体等はそれぞれの色に彩色されているので、本物の鏡餅及び果実と極めて良く似たものとなり、商品価値が高くなる。
【発明を実施するための最良の形態】
【００４６】
§１：概要の説明
図１は例１の説明図（その１）である。以下、図１に基づいて模擬飾り餅の概要を説明する。
【００４７】
以下に説明する例は、例えば、正月、祝い事、その他の祭事に際し、飾り付けられる鏡餅として使用され、御幣、飾り橙、蜜柑等の飾りものを飾ることが可能で、かつ、食用の餅（例えば、切り餅）も内部に収納できるようにした合成樹脂製の模擬飾り餅の例である。
【００４８】
(1) ：模擬飾り餅は、鏡餅の外形を呈し、合成樹脂製の中空な中空部を有する容器本体１と、容器本体１の上部に載せて飾る果実の外形を呈し、合成樹脂製の中空な飾り用模擬果実体とを少なくとも有する。また、容器本体１の上側及び飾り用模擬果実体の下側にそれぞれ、両者を固定するための合成樹脂製の固定手段を設ける。更に、容器本体１の底部には、内部の中空部に飾り物や食用の餅を含む収納物を収納するために必要な大きさの開口部１１を設け、この開口部１１に着脱自在の合成樹脂製の裏蓋１０を設ける。
【００４９】
そして、飾り付けを行わない場合に、裏蓋１０を開けて、開口部１１から容器本体１の中空部に、御幣、飾り用模擬果実体（２つの分割片に分解したもの）、食用の餅（例えば、切り餅）を含む各種収納物を収納し、裏蓋１０を被せることにより、収納物が外に飛び出すのを防止する機能を備えている。なお、以下の例では、前記飾り用模擬果実体を飾り用模擬橙の例とし、前記食用の餅を食用の切り餅の例として説明する。
【００５０】
§２：例１の説明
図１は例１の説明図（その１）、図２は例１の説明図（その２）、図３は例１の説明図（その３）である。図１のＡ図は、飾り付けをしない場合に容器本体の中空部内に飾り用疑似橙、御幣、食用の切り餅等を収納した状態、Ｂ図は飾り付け完成図、Ｃ図は容器本体に飾り用模擬橙を取り付けた場合の縦方向（垂直面方向）断面図である。図２のＡ図は飾り用模擬橙の縦方向（垂直面方向）分解斜視図、Ｂ図は容器本体と御幣の斜視図、Ｃ図は裏蓋の斜視図である。
【００５１】
図１乃至図３において、１は容器本体、２は中空部、３は切り餅、４は御幣、１０は裏蓋、１１は開口部、１２は貫通孔、２０は飾り用模擬橙、２０−１は分割片、２０−２は分割片、２２は中空組立棒、２３は組立棒、２４は葉部取付棒、２５は取付棒、２６は係止片、２７は取付棒、２８は凹部、３２は葉部を示す。
【００５２】
容器本体１は、例えば、白色、又は乳白色を呈する合成樹脂により形成された中空状のもので構成する。この容器本体１は、内部が中空の中空部２となっていて、その中空部２内に、葉部３２を有する飾り用模擬橙２０の分解した部品（２つの分割片）、食用の切り餅３、御幣４等の飾り物を収納させるに足りる容積（大きさ）で、大小の供え餅を上下２段に重ねた鏡餅（２段重ね餅）の外形を呈するものであり、例えば、ブロー成形によって合成樹脂により形成されている。
【００５３】
容器本体１の底部には、該底部に着脱自在な裏蓋１０によって開閉される開口部１１を備え、上部に飾り用模擬橙２０を取り付けるための３つの貫通孔１２−１、１２−２、１２−３（容器本体１の固定手段）を備えている。そして、開口部１１は、容器本体１内に飾り用模擬橙２０（分解した２つの分割片）、食用の切り餅３、御幣４等の飾り物を収納した状態で蓋１０によって閉塞され、円形、矩形等の所定形状で開口されている。
【００５４】
飾り用模擬橙２０は、飾りつけた状態での垂直面を中心として左右方向に２分割した２つの分割片２０−１、２０−２により構成されており、インジェクション成型により製作されている。前記２分割した一方の分割片２０−１の内部には、一端を内部の樹脂と一体的に構成し、他端側を開放した開放端とし、その先端部付近に、葉部３２を取り付けるための合成樹脂製の葉部取付棒２４の一端を取り付け、飾りつけた状態で略水平方向に延びた中空部６を有する中空組立棒２２を設け、前記２分割した他方の分割片２０−２の内部には、一端を内部の樹脂と一体的に構成し、他端側を開放した開放端とし、この開放端側を前記中空組立棒２２の前記中空部に挿入可能な構成の合成樹脂製の組立棒２３を設け、前記組立棒２３を前記中空組立棒２２の中空部に挿入することで、前記２分割した分割片を着脱自在に固定できるように構成している。
【００５５】
更に、分割片２０−１の外側の底部には、取付具２５が所定間隔を開けて２本突出して設けてある。この取付具２５は、一端が分割片２０−１の外側の底部と一体的に形成され、他端が開放端となっている。そして、この開放端にはそれぞれ、容器本体１に固定した時に確実な係止が可能になるように係止片２６が設けてある。この場合、取付具２５は合成樹脂の一体成形等により弾力性のある材料で製作される。
【００５６】
また、他方の分割片２０−２の内部には、組立棒２３の一端が分割片と一体的に製作されており、該組立棒２３の他端は開放されている。そして、組立棒２３の開放された他端は、前記中空組立棒２２の中空部に挿入されるようになっている。また、分割片２０−２の底部の外側には、容器本体１に取り付けるための取付棒２７が１本設けてある。この取付棒２７の一端は分割片２０−２と一体的に設けており他端側は開放端となっている。
【００５７】
また、容器本体１の上部に設けた取付部１２には、飾り用疑似橙２０を取り付けるために３つの貫通孔１２−１、１２−２、１２−３が設けてある。その内の１つの貫通孔１２−１は、分割片２０−２に設けた取付棒２７の開放端が挿入できるようになっている。他の２つの孔１２−２、１２−３は、分割片２０−１に設けた取付具２５の開放端が挿入できるようになっている。
【００５８】
前記のような分解した状態の飾り用模擬橙２０の分割片２０−１、２０−２は、使用しない時（例えば、商品の販売時、購入者宅での保存時など）は、図１のＡ図のように容器本体１の中空部２内に収納されている。この状態から飾りつけを行う場合には、飾り用疑似橙２０の部品２０−２の組立棒２３の開放端を分割片２０−１の中空組立棒２２の中空部に挿入する。この時、分割片２０−１、２０−２の上部側には、それぞれ凹部２８が設けてあるので、この凹部２８に、葉部取付棒２４が入り込み、２つの分割片２０−１、２０−２が一体化できるように構成されている。
【００５９】
また、取付棒２７を孔１２−１へ挿入し、取付具２５を貫通孔１２−２、１２−３に挿入する。この時、取付棒２７を御幣４に設けた孔４−１へ挿入した後、貫通孔１２−１へ挿入する。このようにして飾りつけを行うと図１のＢ図のような状態になる。このようにすれば、容器本体１に対する飾り用模擬橙２０の位置を一定化させることができる。
【００６０】
一方、裏蓋１０は、開口部１１の内周縁に嵌め入れられる偏平な有底状の蓋本体部分の開口縁に、開口部１１の外側面周縁部分に当接する鍔状の当接フランジ部１３を形成したもので、好ましくは蓋本体部分で開口部１１にやや強制的に嵌め入れられ、当接フランジ部１３を摘むことで、容器本体１から外すことができ、開放できるようにしてある。
【００６１】
また、飾り用模擬橙２０は外形がお供え餅の飾りとなるように、例えば橙形状を呈するものとして中空状に例えばインジェクション成型により合成樹脂にて形成されており、前記取付具２５を介して容器本体１に固定連結される。
【００６２】
§３：例２の説明
図３は例２の説明図であり、Ａ図は使用しない状態を示した図、Ｂ図は飾りつけた状態の図、Ｃ図は飾りものを取り除いた状態での縦方向断面図（垂直面方向の断面図）である。以下、図３に基づいて例２を説明する。図３において、図１乃至図３と同符号のものは同じものを示す。
【００６３】
この例２では、前記例１の模擬飾り餅において、容器本体１は、鏡餅の上段の１つの丸餅のみの外形を呈し、合成樹脂製の中空な容器本体であり、容器本体１の底部側は、裏蓋１０を含め、下段に置く丸餅５の上側の凸形状に合わせて曲線形状に形成してあり、飾り付けを行う際には、前記下段に置く丸餅５として、食用の丸餅を用い、その上側に、容器本体１を載せて飾ることができるようにしたものである。なお、他の構成は前記例１と同じである。
【００６４】
§４：例３の説明
図４は例３の説明図（その１）であり、Ａ図は飾りつけた状態の模擬飾り餅を示す図、Ｂ図はＡ図の縦方向断面（垂直面方向断面）図である。図５は例３の説明図（その２）であり、Ｃ図は飾りつけた状態の模擬飾り餅を示す図、Ｄ図はＡ図の縦方向断面（垂直面方向断面）図である。以下、図４、図５に基づいて例３を説明する。図４、図５において、図１乃至図３と同符号のものは同じものを示す。
【００６５】
この例３は、容器本体１と飾り用模擬果実体２０を含めて一体化した外形を呈し、合成樹脂製の中空な容器本体として構成したものである。なお、他の構成は前記例１と同じである。
【００６６】
§５：その他の説明
(1) ：前記例１乃至例３において、容器本体は鏡餅の色（例えば、乳白色、又は白色）に彩色され、前記飾り用模擬果実体は飾り用果実の色（例えば、橙色、オレンジ色など）に彩色され、葉部は葉部の色（例えば、緑色）に彩色されている。
【００６７】
(2) ：前記食用の切り餅は、丸餅等の他の形状でも実施可能である。
【００６８】
(3) ：前記飾り用模擬橙２０は、例えば、合成樹脂製の飾り用模擬蜜柑に変えても実施可能である。
【図面の簡単な説明】
【００６９】
【図１】実施の形態における例１の説明図（その１）である。
【図２】実施の形態における例１の説明図（その２）である。
【図３】実施の形態における例２の説明図である。
【図４】実施の形態における例３の説明図（その１）である。
【図５】実施の形態における例３の説明図（その２）である。
【符号の説明】
【００７０】
１  容器本体
２  中空部
３  切り餅
４  御幣
５  丸餅
１０  裏蓋
１１  開口部
１２、１２−１、１２−２、１２−３  取付部
１３  当接フランジ部
２０  飾り用模擬橙
２０−１、２０−２  分割片
２２  中空組立棒
２３  組立棒
２４  葉部取付棒
２５  取付具
２６  係止片
２７  取付棒
２８  凹部
３２  葉部
【図１】
2007302317.tif 000003
【図２】
2007302317.tif 000004
【図３】
2007302317.tif 000005
【図４】
2007302317.tif 000006
【図５】
2007302317.tif 000007